(57)【要約】      （修正有）【課題】清掃作業に伴う清掃対象の損傷防止に効果的であり、衛生面及び使い勝手の向上と製造コストの低減とを図ることができる清掃用具を提供する。【解決手段】両端が開放された筒状に編成されたニット２と、ニット内に挿入されるスポンジ３とを具備し、ニットにおいてスポンジの両端よりはみ出した部分２Ａ、２Ｂがカーリングし、ニットは、表糸４と裏糸５とによって編成され、筒状の両端には裏糸５のみの部分が存在する。カーリングにより、ニットの両端から内部への異物の進入を未然に防ぐことができ、ニットの解れやスポンジとニットの分離を防止することもできる。また、表糸及び裏糸からなる部分と裏糸のみの部分とを交互に筒状に編み込んでいき、裏糸のみの部分で裁断することにより、ニットを連続的に製造することができ、量産化に適したものとなる。【選択図】図１
0003195979.tif 000002
【実用新案登録請求の範囲】
【請求項１】
両端が開放された筒状に編成されたニットと、該ニット内に挿入されるスポンジとを具備した清掃用具。
【請求項２】
前記スポンジに被さる状態の前記ニットにおいて該スポンジの両端よりはみ出した部分がカーリングする請求項１に記載の清掃用具。
【請求項３】
前記ニットは、表糸と裏糸とによって編成され、筒状の両端には裏糸のみの部分が存在する請求項１又は２に記載の清掃用具。
【請求項４】
前記ニットはパイルまたは擬似パイル構造を有する請求項１〜３の何れか一項に記載の清掃用具。
【考案の詳細な説明】
【技術分野】
【０００１】
本考案は、例えば、食器洗い、洗車等の清掃作業（洗浄作業）に用いて好適な清掃用具に関するものである。
【背景技術】
【０００２】
従来の清掃用具として、スポンジを網目状のカバーで覆ったものが流通している。そして、例えば食器洗い用のスポンジと洗車用のスポンジとでは大きさが異なるのが通常であり、このような用途による構成の違いは見られるものの、スポンジからのカバーの取り外しについての考慮は一切されていないという点で、従来の清掃用具は共通している。
【考案の概要】
【考案が解決しようとする課題】
【０００３】
上記従来の清掃用具では、特にカバーの目合いが細かい場合、カバーとスポンジとの間に粒状の異物が一旦入り込むと、カバーをスポンジから取り外せないため、その異物を取り除くのが困難となり、異物が入ったままの状態で清掃作業を行うと、異物によって清掃対象に傷がつく恐れがある。
【０００４】
また、カバーとスポンジとが常に一体化した状態であることに起因して、上記清掃用具の清掃作業後の乾きは悪く、カビが生え易いという問題もある。
【０００５】
さらに、カバーの端部は縫合や熱溶着によって接合されて閉じられており、その接合部が清掃対象を傷つけたり、作業者が肌に当たる接合部に違和感や不快感を覚えたりする恐れもある上、カバーの接合や熱溶着は製造コストを上昇させる要因にもなる。
【０００６】
本考案は上述の事柄を考慮に入れてなされたものであり、清掃作業に伴う清掃対象の損傷防止に効果的であり、衛生面及び使い勝手の向上と製造コストの低減とを図ることができる清掃用具を提供することを課題とする。
【課題を解決するための手段】
【０００７】
前記課題を解決するため、本考案の清掃用具は、両端が開放された筒状に編成されたニットと、該ニット内に挿入されるスポンジとを具備した（請求項１）。
【０００８】
前記清掃用具が、前記スポンジに被さる状態の前記ニットにおいて該スポンジの両端よりはみ出した部分がカーリングするように構成されていてもよい（請求項２）。
【０００９】
前記清掃用具において、前記ニットは、表糸と裏糸とによって編成され、筒状の両端には裏糸のみの部分が存在するものであってもよい（請求項３）。
【００１０】
前記清掃用具において、前記ニットはパイルまたは擬似パイル構造を有していてもよい（請求項４）。
【考案の効果】
【００１１】
請求項１〜４に係る考案では、清掃作業に伴う清掃対象の損傷防止に効果的であり、衛生面及び使い勝手の向上と製造コストの低減とを図ることができる清掃用具が得られる。
【００１２】
すなわち、請求項１〜４に係る考案の清掃用具では、スポンジとニットとを分離可能とすることにより、たとえニットとスポンジとの間に粒状の異物が入り込んだとしても、例えばニットをスポンジから取り外して裏返すことにより、その異物を取り除く作業を容易に行うことができる。従って、その異物によって清掃対象に傷がつくことを確実に防止することができる。
【００１３】
また、清掃作業後にニットとスポンジとを別々にすれば乾燥し易くなるので、衛生面での向上を図ることも容易となる。
【００１４】
さらに、ニットの両端の縫合や熱溶着をあえて行わないことにより、清掃対象を傷つけたり、手に持った作業者が違和感を覚えたりするような固い部分を清掃用具からなくすことができると共に製造コストを引き下げることも可能となる。
【００１５】
請求項２に係る考案の清掃用具では、カーリングを利用して、ニットの両端から内部への異物の進入を未然に防ぐことができ、ニットの解れやスポンジとニットの分離を防止することもできる。
【００１６】
請求項３に係る考案の清掃用具では、例えば表糸及び裏糸からなる部分と裏糸のみの部分とを交互に筒状に編み込んでいき、裏糸のみの部分で裁断することにより、ニットを連続的に製造することができ、量産化に適したものとなる。ただし、これに限らず、本考案の清掃用具を連続生産せず、例えば一つずつ製造するようにしてもよい。
【００１７】
請求項４に係る考案の清掃用具では、パイルまたは擬似パイル構造が、清掃作業に伴う清掃対象の損傷を防止するという点で非常に有効である。
【図面の簡単な説明】
【００１８】
【図１】本考案の実施形態に係る清掃用具の斜視図である。
【図２】前記清掃用具の分解斜視図である。
【図３】前記清掃用具の動作を示す図である。
【考案を実施するための形態】
【００１９】
以下、図１〜図３を用いて、本考案の実施形態に係る清掃用具１の構成および動作を説明する。本実施形態の清掃用具は清掃対象として例えば車のボディ、窓、ホイールなどを磨くものである。
【００２０】
図１〜図３に示す清掃用具１は、両端が開放された筒状に編成されたニット２と、ニット２内に挿入される略直方体形状のスポンジ３とからなる。ニット２は第１繊維（表糸）４および第２繊維（裏糸）５を筒状に編成したものである。スポンジ３はニット２が被せられるようにニット２内に挿入されるものであり、一般的な使用者の手の大きさで容易につかめる程度の面積と、使用者が加えた力Ｆを分散できる程度の厚さを有する大きさに形成された例えばウレタン樹脂からなるスポンジ材である。
【００２１】
ここで、第１繊維４は柔軟性に優れた素材からなることが好ましく、例えばアクリル繊維を用いることができ、銀を保持させることにより半永久的な抗菌性を持たせるようにしてもよい。
【００２２】
一方、第２繊維５は汚れを掻き取る程度の強度を備える繊維であり、例えば、ポリウレタン樹脂、ポリエステル樹脂、ポリプロピレン樹脂などからなる繊維を用いることが好ましい。
【００２３】
そして、ニット２は、パイルまたは擬似パイル構造を有するように編成されていることが好ましく、具体的には、タック編みを使用した組織やワッフル状編物のように、一方の面のみ、または両方の面に凹凸が設けられたものであってもよい。さらに、ニット２の目合いは、進入を阻止しようとする粒子状の異物が入り込まない程度の細かさを備えていることが好ましい。加えて、ニット２は、例えば、第１繊維４及び第２繊維５からなる部分と第２繊維５のみの部分とを交互に筒状に編み込んでいき、第２繊維５のみの部分で裁断した後、例えば蒸気で全体を熱収縮させて得ることのできるものであり、斯かる製法により、ニット２は連続的に製造可能であり、量産化に適したものとなる。
【００２４】
図２に示すようにニット２はスポンジ３の外周を覆うように取り付けられ、スポンジ３に取り付けられた状態（被さる状態）のニット２においてスポンジ３の両端よりはみ出した部分（第２繊維５のみの部分）には、内側に捲れるカーリング部分２Ａ，２Ｂが発生することにより、スポンジ３とニット２の接合部にゴミや砂などの異物が入り込みにくくなるように構成している。カーリングは、例えばニット２の表裏の目の出方（緊張力）を異ならせることによって発生させることができる。
【００２５】
上述のように清掃用具１は極めて簡素化された構成であるから、その製造コストを可及的に削減できるだけでなく、清掃対象の表面に傷をつけてしまいかねない縫合部や溶着部がないので、安心して清掃を行うことができる。
【００２６】
図３は清掃用具１を用いて車のボディに付着した汚れを除去する例を示す図である。図３に示すように、使用者はその手６で清掃用具１をつかみ、車のボディ７に付着した異物を除去するべく力Ｆを加えると、この力Ｆがスポンジ３によって分散され各部において均一な力ｆを容易にかけることができる。
【００２７】
このとき、ニット２の表面は進入を阻止しようとする粒子状の異物の径よりも目合いが細かくなるように形成してあるので、これによって、粒子状の異物がニット２内に進入することを防止し、粒子状の異物によってボディ７に傷をつけてしまう可能性を低くすることができる。
【００２８】
仮に、粒子状の異物が繊維間を通り抜けてニット２内に入ってしまった場合でも、ニット２の両端をあえて閉じていないので、ニット２とスポンジ３とを分離して、この異物を容易に取り出すことができる。
【００２９】
また、清掃作業への使用後はニット２とスポンジ３を分離して掃除し、ニット２とスポンジ３を別々に水切りして干すことができるので、この清掃用具１をできるだけ早く乾燥させてカビのような菌の増殖を防止できる。とりわけ、第１繊維４は銀を保持した半永久的な抗菌性を有するものであるから衛生的である。
【００３０】
さらに、ボディ７の角や奥まった狭い場所、屈曲した場所などを清掃する場合には、スポンジ３を取り外して、使用者の手６にニット２を被せて直接的に清掃することも可能である。
【００３１】
なお、上述の例は本考案を説明する単なる一例にすぎず、本考案は上述の実施形態の構成に限定されるものではない。例えば、ニット２により強力な磨き効果を付与するために、複数の溶液に浸漬して強度と粘着性を持たせた研磨用の繊維を用いてニット２を構成するようにしてもよい。
【００３２】
上述の実施形態では、本考案の清掃用具１は車のボディ７を清掃対象とする例を示しているが、本考案の清掃用具１はシンク、レンジなどの台所用品や食器、ガラスなどを清掃対象としてもよい。さらに、靴を清掃対象として靴磨きのために用いてもよい。
【符号の説明】
【００３３】
１  清掃用具
２  ニット
２Ａ，２Ｂ  カーリング部
３  スポンジ
４  第１繊維
５  第２繊維
【図１】
0003195979.tif 000003
【図２】
0003195979.tif 000004
【図３】
0003195979.tif 000005